Podtech/llm-jp-corpus-v4-ja_patent huggingface dataset:
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
シートクッション、シートバックを具備し、
シートバックの座面は、上下方向では肩甲骨に沿って上に行くにつれて膨らむ曲線形状に、左右方向では肋骨を支えるへこんだ曲線形状にそれぞれ形成されたシート。
【請求項２】
上下方向の曲線が首の付け根を支持可能に首の付け根まで延びた請求項１記載のシート。
【請求項３】
左右方向の曲線が左右の肩甲骨付近でへこんだ請求項１または２記載のシート。
【請求項４】
シートバックは、着座者の腰部から肋骨下部を主に支持する下半部が、着座者の肩甲骨を主として支持する上半部よりも挟幅に形成され、
シートクッションの後端中央に、シートバックの幅狭の下半部の遊嵌される凹部を設けた請求項１〜３のいずれか記載のシート。
【請求項５】
中央の凹部を挟んだシートクッション後端の左右の端部が、着座者の臀部を左右から支持する盛り上がった形状に形成された請求項４記載のシート。
【請求項６】
シートリフターによってシートクッションを昇降させる請求項４または５記載のシート。
【請求項７】
シートバックは支柱に取付けられ、支柱を固定支柱と固定支柱に対して昇降可能な可動支柱とから構成し、可動支柱にシートバックを設けてシートバックを昇降させる請求項５または６記載のシート。  
【請求項８】
シートバックを支柱に対して傾斜可能とした請求項７記載のシート。
【請求項９】
シートバックを可動支柱に対して傾斜可能とした請求項７記載のシート。
【請求項１０】
当該シートはシートクッションが基台となるライザー上に配置され、支柱がライザーの後端にその下端が連結されてシートクッションの後方に設けられ、
ライザーがシートスライド機構を介して、または、シートスライド機構を介することなく車床上に設置される車両用シートである請求項１〜９のいずれか記載のシート。
【手続補正２】
【補正対象書類名】明細書
【補正対象項目名】００１１
【補正方法】変更
【補正の内容】
【００１１】
本発明は、シートバックの構成を複雑化することなく、広い接触面積が確保されてフィット感の得られるシートの提供を目的としている。
【手続補正３】
【補正対象書類名】明細書
【補正対象項目名】００１２
【補正方法】変更
【補正の内容】
【００１２】
上記目的を達成するために、本発明では、肋骨、肩甲骨付近の部位では、体格による差が比較的少ないことに注目し、この肋骨、肩甲骨付近の部位を中心に支持することとし、シートバック座面の形状を変えるだけで広い接触面積を確保している。
【手続補正４】
【補正対象書類名】明細書
【補正対象項目名】００１４
【補正方法】変更
【補正の内容】
【００１４】
本発明の請求項１に係る本発明では、肋骨、肩甲骨付近の部位では、体格による差が比較的少ないことに注目して、上下方向、左右方向のいずれにおいても肋骨、肩甲骨に沿わせた曲線形状にシートバックの座面が形成されている。そのため、着座者の肋骨、肩甲骨がシートバックの座面に沿って支持され、広い接触面積が着座者の背中(肋骨、肩甲骨)、シートバック座面の間に確保され、接触圧力も小さい。そして、シートバックの座面形状を変えているにすぎず、シートバックの内部構造を変える必要がないため、構成が複雑化することなく、体格（横幅）の異なる着座者をフィット感のもとで支持できる。
【手続補正５】
【補正対象書類名】明細書
【補正対象項目名】００２１
【補正方法】変更
【補正の内容】
【００２１】
このように、シートバック３０は、上下方向では肩甲骨３６に沿って上に行くにつれて膨らむ曲線形状に、左右方向では肋骨３７を支えるへこんだ曲線形状にそれぞれ形成される。また、上下方向の曲線は肩甲骨３６に沿ってその背後から覆って支持する高さまで上方に延ばされ、左右方向の曲線は左右の肩甲骨付近でへこんだ形状とされる。そのため、着座者の肩甲骨３６、肋骨３７がシートバックの座面に沿って支持され、広い接触面積が着座者の背中(肩甲骨、肋骨)、シートバック座面の間に確保され、接触圧力も小さい。そして、シートバック３０の座面形状を変えているにすぎず、シートバックの内部構造を変える必要がなく、構成が複雑化しない。そして、肋骨、肩甲骨付近の部位では、体格（横幅）による差が比較的少ないため、肋骨、肩甲骨付近での部位が中心に支持することにより、体格差のある着座者（小柄の着座者、大柄の着座者）に対してもフィット感のもとで支持できる。
【手続補正書】
【提出日】平成28年10月18日(2016.10.18)
【手続補正１】
【補正対象書類名】特許請求の範囲
【補正対象項目名】全文
【補正方法】変更
【補正の内容】
【特許請求の範囲】
【請求項１】
空気取込み側に入口案内翼を設けた圧縮機と、前記圧縮機で圧縮された圧縮空気と燃料とを混合燃焼させて燃焼ガスを生成する燃焼器と、前記圧縮機と機械的に連結され、前記燃焼器で生成された燃焼ガスによって駆動される高圧タービンと、前記高圧タービンを駆動した膨張燃焼ガスにより駆動される低圧タービンとを備えた２軸ガスタービンの制御装置であって、
前記圧縮機の吸気に液滴を噴霧する液滴噴霧装置と、
前記高圧タービンの回転数を検出する回転数計と、
前記入口案内翼の開度を検出する開度計と、
前記燃焼器に供給される前記燃料の流量を調整する燃料制御部と、前記液滴噴霧装置に供給される噴霧水の流量を調整する噴霧流量制御部と、前記入口案内翼の開度を調整する入口案内翼開度制御部と、前記回転数計が検出した前記高圧タービンの回転数と前記開度計が検出した前記入口案内翼の開度とを取り込み、前記高圧タービンの回転数と前記入口案内翼の開度とに応じて、前記燃料制御部と前記噴霧流量制御部と前記入口案内翼開度制御部とに前記圧縮機の効率を向上させるための指令信号をそれぞれ出力する効率改善制御部とを有し、前記効率改善制御部からの指令により、前記高圧タービンの回転数を低下させ、前記入口案内翼を開方向に制御し、前記噴霧水の流量を適切に制御するコントローラとを備えた
ことを特徴とする２軸ガスタービンの制御装置。
【請求項２】
請求項１に記載の２軸ガスタービンの制御装置において、
前記圧縮機の吸気温度を検出する第１温度計と、前記圧縮機の吸気圧力を検出する第１圧力計と、前記圧縮機の吐出温度を検出する第２温度計と、前記圧縮機の吐出圧力を検出する第２圧力計とを備え、
前記効率改善制御部は、前記第１温度計と前記第２温度計が検出した前記圧縮機の吸気温度と吐出温度、及び前記第１圧力計と前記第２圧力計が検出した前記圧縮機の吸気圧力と吐出圧力とを取り込み、前記圧縮機の効率を算出し、この圧縮機効率の信号に基づいて、前記燃料制御部と前記噴霧流量制御部と前記入口案内翼開度制御部とに前記指令信号をそれぞれ出力する
ことを特徴とする２軸ガスタービンの制御装置。
【請求項３】
請求項１に記載の２軸ガスタービンの制御装置において、
前記圧縮機の中間段における動翼の先端間隙を計測する間隙センサを備え、
前記効率改善制御部は、前記間隙センサが検出した前記動翼の先端間隙を取り込み、予め設定した間隙余裕値との差異の信号に基づいて、前記燃料制御部と前記噴霧流量制御部と前記入口案内翼開度制御部とに前記指令信号をそれぞれ出力する
ことを特徴とする２軸ガスタービンの制御装置。
【請求項４】
空気取込み側に入口案内翼を設けた圧縮機と、前記圧縮機で圧縮された圧縮空気と燃料とを混合燃焼させて燃焼ガスを生成する燃焼器と、前記圧縮機と機械的に連結され、前記燃焼器で生成された燃焼ガスによって駆動される高圧タービンと、前記高圧タービンを駆動した膨張燃焼ガスにより駆動される低圧タービンと、
前記圧縮機の吸気に液滴を噴霧する液滴噴霧装置と、
前記高圧タービンの回転数を検出する回転数計と、
前記入口案内翼の開度を検出する開度計と、
前記燃焼器に供給される前記燃料の流量を調整する燃料制御部と、前記液滴噴霧装置に供給される噴霧水の流量を調整する噴霧流量制御部と、前記入口案内翼の開度を調整する入口案内翼開度制御部と、前記燃料制御部と前記噴霧流量制御部と前記入口案内翼開度制御部とに前記圧縮機の駆動力と前記高圧タービンの出力とをバランスさせるための指令信号をそれぞれ出力する効率改善制御部とを有するコントローラとを備えた２軸ガスタービンの制御方法であって、
前記コントローラは、前記回転数計が検出した前記高圧タービンの回転数と前記開度計が検出した前記入口案内翼の開度とに応じて、前記高圧タービンの回転数を低下させる手順と、
前記高圧タービンの回転数の低下に伴う前記入口案内翼の開度を監視して、前記入口案内翼の開度が規定値を超えたときに前記高圧タービンの回転数の低下を停止する手順と、
前記液滴噴霧装置における吸気噴霧を開始し、前記噴霧水の流量の増加の制御を開始する手順と、
前記噴霧水の流量の増加に伴う前記入口案内翼の開度を監視して、前記入口案内翼の開度が規定値以上のときに前記噴霧水の流量の増加の制御を停止する手順とを備えた
ことを特徴とする２軸ガスタービンの制御方法。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
被記録媒体に対して液体を吐出する記録ヘッドを備えるとともに所定の移動方向に移動
可能なキャリッジと、
前記液体を収容する液体収容部と、
前記液体収容部から送られる前記液体を前記記録ヘッドへと導く、可撓性を有するチュ
ーブと、
被記録媒体を搬送する第１ローラー及び当該第１ローラーの上側に配置される第２ロー
ラーと、
被記録媒体の搬送方向と交差する方向に延びる形状を成し、前記第２ローラーを保持す
るとともに前記チューブを支持する支持部材と、
を備えた記録装置。
【請求項２】
請求項１に記載の記録装置において、前記チューブは、前記キャリッジから当該キャリ
ッジの移動方向である第１方向に延出した後下方向に湾曲し、前記第１方向に対して反対
方向である第２方向に折り返した先の区間が前記支持部材によって支持される、
ことを特徴とする記録装置。
【請求項３】
請求項１または請求項２に記載の記録装置において、前記チューブは、少なくとも一部
が前記支持部材に固定される、
ことを特徴とする記録装置。
【請求項４】
請求項１から請求項３のいずれか一項に記載の記録装置において、前記支持部材は、前
記チューブを所定方向に案内するガイド部を有する、
ことを特徴とする記録装置。
【請求項５】
請求項１から請求項４のいずれか一項に記載の記録装置において、前記チューブを複数
本備え、
前記複数本のチューブは、前記支持部材上において、前記被記録媒体の搬送方向と交差する方向に延在するとともに、前記被記録媒体の搬送方向に沿って並列に配置される、
ことを特徴とする記録装置。
【請求項６】
請求項１から請求項５のいずれか一項に記載の記録装置において、前記チューブをガイ
ドするガイド部材が前記チューブに隣接して設けられる、
ことを特徴とする記録装置。
【請求項７】
請求項１から請求項６のいずれか一項に記載の記録装置において、前記支持部材には、
前記搬送方向と交差する方向に延びるリブが形成されている、
ことを特徴とする記録装置。
【請求項８】
請求項１から請求項７のいずれか一項に記載の記録装置において、前記第１ローラー及
び前記第２ローラーは、被記録媒体の搬送経路において前記記録ヘッドより下流に設けら
れ、記録の行われた被記録媒体を排出する排出手段を構成する、
ことを特徴とする記録装置。
【手続補正２】
【補正対象書類名】明細書
【補正対象項目名】００１４
【補正方法】変更
【補正の内容】
【００１４】
本発明の第５の態様は、第１から第４の態様のいずれかにおいて、前記チューブを複数
本備え、前記複数本のチューブは、前記支持部材上において、前記被記録媒体の搬送方向と交差する方向に延在するとともに、前記被記録媒体の搬送方向に沿って並列に配置されることを特徴とする。
【手続補正３】
【補正対象書類名】明細書
【補正対象項目名】００１５
【補正方法】変更
【補正の内容】
【００１５】
本態様によれば、前記チューブを複数本備え、前記複数本のチューブは、前記支持部材
上において、前記被記録媒体の搬送方向と交差する方向に延在するとともに、前記被記録媒体の搬送方向に沿って並列に配置されるので、前記支持部材は複数本のチューブから広範囲で外力を受ける。その結果、前記第２ローラーが前記第１ローラーから離間する方向への支持部材の変形をより効果的に抑制できる。
【手続補正４】
【補正対象書類名】明細書
【補正対象項目名】００６２
【補正方法】変更
【補正の内容】
【００６２】
また本実施形態では、複数本のインクチューブ１２は、チューブ支持部材３１上におい
て、用紙の搬送方向と交差する方向（ｘ方向）に延在するとともに、用紙搬送方向（ｙ方向）に沿って並列に配置されるので、チューブ支持部材３１は複数本のインクチューブ１２から広範囲で外力を受ける。その結果、排出従動ローラー２０が排出駆動ローラー１９から離間する方向へのチューブ支持部材３１の変形をより効果的に抑制できる。
【手続補正書】
【提出日】平成28年6月21日(2016.6.21)
【手続補正１】
【補正対象書類名】特許請求の範囲
【補正対象項目名】全文
【補正方法】変更
【補正の内容】
【特許請求の範囲】
【請求項１】
室温を検出する室温検出手段を有する空気調和装置と、
前記室温検出手段で検出された室温が所定温度以上であるとき、通信網を経由して外部情報端末から報知する第１の機能とを備え、
前記第１の機能は、前記室温検出手段で検出された室温が所定温度以上であっても、前回の報知から所定時間が経過するまで再度の報知を行わない
ことを特徴とする空気調和システム。
【請求項２】
室温を検出する室温検出手段を有する空気調和装置と、
前記室温検出手段で検出された室温が所定温度以上である状態が所定時間継続したとき、通信網を経由して外部情報端末から報知する第１の機能とを備え、
前記第１の機能は、前記室温検出手段で検出された室温が所定温度以上であっても、前回の報知から所定時間が経過するまで再度の報知を行わない
ことを特徴とする空気調和システム。
【請求項３】
請求項１又は請求項２に記載の空気調和システムにおいて、
前記外部情報端末から前記空気調和装置の空調運転を開始する第２の機能を備えた
ことを特徴とする空気調和システム。
【請求項４】
請求項１乃至３のいずれか１項に記載の空気調和システムにおいて、
前記第２の機能によって空調運転が開始されたとき、前記空気調和装置の室内機に設けられた報知手段から報知する第３の機能を備えた
ことを特徴とする空気調和システム。
【請求項５】
請求項１乃至４のいずれか１項に記載の空気調和システムにおいて、
空調運転を開始した後に前記室温検出手段で検出された室温が所定温度以下になると、空調運転を停止すると共に、前記室内機に設けられた前記報知手段、又は、前記通信網を経由して前記外部情報端末から報知する
ことを特徴とする空気調和システム。
【請求項６】
請求項１乃至４のいずれか１項に記載の空気調和システムにおいて、
空調運転を開始してから所定時間が経過すると、空調運転を停止すると共に、前記室内機に設けられた前記報知手段、又は、前記通信網を経由して前記外部情報端末から報知する
ことを特徴とする空気調和システム。
【手続補正書】
【提出日】平成28年7月13日(2016.7.13)
【手続補正１】
【補正対象書類名】明細書
【補正対象項目名】０１００
【補正方法】変更
【補正の内容】
【０１００】
（Ｉ）中塗り塗料組成物の調製
〔調製例１〕
容量２００ｍｌのポリエチレン製カップ容器に合成例１で合成した反応性シロキサン（Ａ−１）１００ｇを仕込み、ヘラで撹拌下にシリカ（ＭＵ−２１５）を１５ｇ添加し、十分均一なペースト状になるまで混合し、中塗り塗料組成物を調製した。物性を表２に示す。ここで、粘度は、回転粘度計（ＢＭ型、６ｒｐｍ、２５℃）を用いて測定した値である。不揮発分は、アルミシャーレに試料を入れ、オーブンで空気雰囲気下１０５℃、３時間加熱した前後の質量変化から求めた値である（以下、調製例２〜６についても同様）。
【手続補正２】
【補正対象書類名】明細書
【補正対象項目名】０１０１
【補正方法】変更
【補正の内容】
【０１０１】
〔調製例２〕
容量２００ｍｌのポリエチレン製カップ容器に合成例２で合成した反応性シロキサン（Ａ−２）１００ｇを仕込み、ヘラで撹拌下にシリカ（ＭＵ−２１５）を１５ｇ添加し、十分均一なペースト状になるまで混合し、中塗り用塗料組成物を調製した。物性を表２に示す。
【手続補正３】
【補正対象書類名】明細書
【補正対象項目名】０１０２
【補正方法】変更
【補正の内容】
【０１０２】
〔調製例３〕
容量２００ｍｌのポリエチレン製カップ容器に合成例３で合成した反応性シロキサン（Ａ−３）１００ｇを仕込み、ヘラで撹拌下にシリカ（ＭＵ−２１５）を１５ｇ添加し、十分均一なペースト状になるまで混合し、中塗り用塗料組成物を調製した。物性を表２に示す。
【手続補正４】
【補正対象書類名】明細書
【補正対象項目名】０１０３
【補正方法】変更
【補正の内容】
【０１０３】
〔調製例４〕
容量２００ｍｌのポリエチレン製カップ容器に合成例２で合成した反応性シロキサン（Ａ−２）１００ｇを仕込み、ヘラで撹拌下にシリカ（アエロジル３００）を４ｇ添加し、十分均一なペースト状になるまで混合し、中塗り塗料組成物を調製した。物性を表２に示す。
【手続補正５】
【補正対象書類名】明細書
【補正対象項目名】０１０５
【補正方法】変更
【補正の内容】
【０１０５】
〔調製例６〕
容量２００ｍｌのポリエチレン製カップ容器に合成例１で合成した反応性シロキサン（Ａ−１）１００ｇを仕込み、中塗り塗料組成物を調製した。物性を表２に示す。
【手続補正６】
【補正対象書類名】明細書
【補正対象項目名】０１１１
【補正方法】変更
【補正の内容】
【０１１１】
【表２】
2015098531.tif 000001
【手続補正書】
【提出日】平成28年8月31日(2016.8.31)
【手続補正１】
【補正対象書類名】特許請求の範囲
【補正対象項目名】全文
【補正方法】変更
【補正の内容】
【特許請求の範囲】
【請求項１】
半導体層の積層面に対し光取り出し面が垂直である半導体発光装置であって、
前記半導体層上に配置される透光性を有する導光部材と、
前記導光部材上に配置される光反射部材と、
光反射性を有し前記光取り出し面側に開放部を有して前記半導体層の外縁を囲むパッケージと、
を備え、
前記導光部材が、前記半導体層上に成長基板を介して配置される波長変換部を含み、
前記波長変換部が前記成長基板に直接接合されている半導体発光装置。
【請求項２】
光反射性を有する前記パッケージが前記半導体層に接続する電極間を電気的に絶縁する絶縁部材と一体をなす、請求項１に記載の半導体発光装置。
【請求項３】
前記光反射部材が金属である、請求項１に記載の半導体発光装置。
【請求項４】
前記光反射部材がＤＢＲである、請求項１に記載の半導体発光装置。
【請求項５】
前記光反射部材が金属およびＤＢＲである、請求項１に記載の半導体発光装置。
【請求項６】
前記導光部材が波長変換部および透明部を含みこれらが積層されて構成される、請求項１〜５の何れか１項に半導体発光装置。
【請求項７】
前記導光部材がその一面に蛍光体層が成膜されたガラス基板である、請求項６に記載の半導体発光装置。
【請求項８】
前記パッケージは、光取り出し面側に開放部を有して前記半導体層、前記導光部材及び前記光反射部材の外縁を囲み、前記光反射部材の上部の厚みが５μｍ以上である、請求項１〜７の何れか１項に半導体発光装置。
【請求項９】
前記パッケージは、光取り出し面側の前記半導体層の端部から前記パッケージの端部までの幅が３０μｍ以上である、請求項１〜８の何れか１項に半導体発光装置。
【請求項１０】
前記パッケージは、光取り出し面側と反対側の前記半導体層の端部から前記パッケージの端部の幅が５０μｍ以上である、請求項１〜９の何れか１項に半導体発光装置。
【請求項１１】
半導体層の積層面に対し光取り出し面が垂直である半導体発光装置を製造する方法であって、
半導体層と電極とが形成された発光素子を、前記電極をシートに接して複数配置する工程と、
隣接する少なくとも２つの前記発光素子の間を架け渡して、一面に光反射部材を成膜した導光部材を配置する工程と、
前記発光素子の間隙を埋めるように、光反射性を有する絶縁部材を配置する工程と、
前記発光素子の電極にコンタクトするパッド電極を形成する工程と、
前記隣接する少なくとも２つの前記発光素子の間の位置で、前記絶縁部材および前記導光部材を切断する工程と、
を含む、半導体発光装置を製造する方法。
【手続補正書】
【提出日】平成27年11月18日(2015.11.18)
【手続補正１】
【補正対象書類名】特許請求の範囲
【補正対象項目名】請求項５
【補正方法】変更
【補正の内容】
【請求項５】
さらに、以下の構成をも備えたことを特徴とする請求項１〜４のいずれかに記載の遊技機。
（５）前記切断刃は、前記溝部の開口側に先端を向けると共に、当該先端を複数に分割して一部を折曲したＶ字状の挟み込み部を備えた金属製のものであること。
【手続補正２】
【補正対象書類名】明細書
【補正対象項目名】００１９
【補正方法】変更
【補正の内容】
【００１９】
また、これら本発明の遊技機は、さらに、以下の構成をも備えるとよい。
（５）前記切断刃は、前記溝部の開口側に先端を向けると共に、当該先端を複数に分割して一部を折曲したＶ字状の挟み込み部を備えた金属製のものであること。
【手続補正書】
【提出日】平成27年12月24日(2015.12.24)
【手続補正１】
【補正対象書類名】特許請求の範囲
【補正対象項目名】請求項１
【補正方法】変更
【補正の内容】
【請求項１】
当りか否かの当り抽選を行う当り抽選手段を備え、当該当り抽選手段の抽選結果が当選の場合、特別入賞領域への遊技球の入球を許容する当り遊技を付与する遊技機において、
前記特別入賞領域への遊技球の入球を検知する入球検知手段と、
前記特別入賞領域内に配置される特典入賞手段への遊技球の入球を検知する特典入賞検知手段と、
前記特別入賞領域から排出される遊技球を検知する排出検知手段と、
前記入球検知手段が遊技球を検知したときに、前記特別入賞領域内に存在する遊技球の数を示す領域内個数を加算し、前記排出検知手段が遊技球を検知したときに、前記領域内個数を減算することにより、前記領域内個数を計測する計測手段と、
前記特典入賞検知手段が遊技球を検知したことを契機に、遊技者に有利な特別遊技状態を付与することができる特別遊技状態付与手段を備え、
前記特別遊技状態付与手段は、
前記特別入賞領域への遊技球の入球が許容されなくなったときから予め決められた作動時間が経過する際に、前記計測手段が計測する前記領域内個数に基づき、特別入賞領域に遊技球が存在しないと判定された場合には、前記作動時間が経過した後、前記特典入賞検知手段が遊技球を検知しても前記特別遊技状態を付与しない一方、
前記作動時間が経過する際に、前記計測手段が計測する領域内個数に基づき、特別入賞領域に遊技球が存在すると判定された場合には、前記領域内個数に基づき、特別入賞領域に遊技球が存在しないと判定されるまで前記特典入賞検知手段が遊技球を検知したことを契機に前記特別遊技状態を付与することができることを特徴とする遊技機。
【手続補正２】
【補正対象書類名】明細書
【補正対象項目名】０００６
【補正方法】変更
【補正の内容】
【０００６】
上記問題点を解決する遊技機は、当りか否かの当り抽選を行う当り抽選手段を備え、当該当り抽選手段の抽選結果が当選の場合、特別入賞領域への遊技球の入球を許容する当り遊技を付与する遊技機において、前記特別入賞領域への遊技球の入球を検知する入球検知手段と、前記特別入賞領域内に配置される特典入賞手段への遊技球の入球を検知する特典入賞検知手段と、前記特別入賞領域から排出される遊技球を検知する排出検知手段と、前記入球検知手段が遊技球を検知したときに、前記特別入賞領域内に存在する遊技球の数を示す領域内個数を加算し、前記排出検知手段が遊技球を検知したときに、前記領域内個数を減算することにより、前記領域内個数を計測する計測手段と、前記特典入賞検知手段が遊技球を検知したことを契機に、遊技者に有利な特別遊技状態を付与することができる特別遊技状態付与手段を備え、前記特別遊技状態付与手段は、前記特別入賞領域への遊技球の入球が許容されなくなったときから予め決められた作動時間が経過する際に、前記計測手段が計測する前記領域内個数に基づき、特別入賞領域に遊技球が存在しないと判定された場合には、前記作動時間が経過した後、前記特典入賞検知手段が遊技球を検知しても前記特別遊技状態を付与しない一方、前記作動時間が経過する際に、前記計測手段が計測する領域内個数に基づき、特別入賞領域に遊技球が存在すると判定された場合には、前記領域内個数に基づき、特別入賞領域に遊技球が存在しないと判定されるまで前記特典入賞検知手段が遊技球を検知したことを契機に前記特別遊技状態を付与することができることを要旨とする。
【手続補正書】
【提出日】平成27年12月24日(2015.12.24)
【手続補正１】
【補正対象書類名】特許請求の範囲
【補正対象項目名】請求項１
【補正方法】変更
【補正の内容】
【請求項１】
当りか否かの当り抽選を行う当り抽選手段を備え、当該当り抽選手段の抽選結果が当選の場合、特別入賞領域への遊技球の入球を許容する当り遊技を付与する遊技機において、
前記特別入賞領域への遊技球の入球を検知する入球検知手段と、
前記特別入賞領域内に配置される特典入賞手段への遊技球の入球を検知する特典入賞検知手段と、
前記特別入賞領域から排出される遊技球を検知する排出検知手段と、
前記入球検知手段が遊技球を検知したときに、前記特別入賞領域内に存在する遊技球の数を示す領域内個数を加算し、前記排出検知手段が遊技球を検知したときに、前記領域内個数を減算することにより、前記領域内個数を計測する計測手段と、
前記特典入賞検知手段が遊技球を検知したことを契機に、遊技者に有利な特別遊技状態を付与することができる特別遊技状態付与手段を備え、
前記計測手段は、
前記特別入賞領域への遊技球の入球が許容された後から、前記特別入賞領域への遊技球の入球が許容されなくなって予め決められた作動時間が経過するまでの間に、前記入球検知手段が遊技球を検知した場合に、前記領域内個数を加算する一方、
前記領域内個数が存在するとき、前記排出検知手段が遊技球を検知した場合には、前記領域内個数を減算することを特徴とする遊技機。
【手続補正２】
【補正対象書類名】明細書
【補正対象項目名】０００４
【補正方法】変更
【補正の内容】
【０００４】
ところで、従来から遊技球を磁力で移動させたり、また、遊技球に糸をつないで操作したりする不正行為が存在していた。
【手続補正３】
【補正対象書類名】明細書
【補正対象項目名】０００６
【補正方法】変更
【補正の内容】
【０００６】
上記問題点を解決する遊技機は、当りか否かの当り抽選を行う当り抽選手段を備え、当該当り抽選手段の抽選結果が当選の場合、特別入賞領域への遊技球の入球を許容する当り遊技を付与する遊技機において、前記特別入賞領域への遊技球の入球を検知する入球検知手段と、前記特別入賞領域内に配置される特典入賞手段への遊技球の入球を検知する特典入賞検知手段と、前記特別入賞領域から排出される遊技球を検知する排出検知手段と、前記入球検知手段が遊技球を検知したときに、前記特別入賞領域内に存在する遊技球の数を示す領域内個数を加算し、前記排出検知手段が遊技球を検知したときに、前記領域内個数を減算することにより、前記領域内個数を計測する計測手段と、前記特典入賞検知手段が遊技球を検知したことを契機に、遊技者に有利な特別遊技状態を付与することができる特別遊技状態付与手段を備え、前記計測手段は、前記特別入賞領域への遊技球の入球が許容された後から、前記特別入賞領域への遊技球の入球が許容されなくなって予め決められた作動時間が経過するまでの間に、前記入球検知手段が遊技球を検知した場合に、前記領域内個数を加算する一方、前記領域内個数が存在するとき、前記排出検知手段が遊技球を検知した場合には、前記領域内個数を減算することを要旨とする。
【手続補正書】
【提出日】平成28年10月21日(2016.10.21)
【手続補正１】
【補正対象書類名】特許請求の範囲
【補正対象項目名】全文
【補正方法】変更
【補正の内容】
【特許請求の範囲】
【請求項１】
画像を投影面に投影する投影装置と、前記画像が投影される前記投影面における指示位置の座標を検出する座標入力装置とから構成される画像補正システムによる画像補正方法であって、
前記画像を前記投影面に投影する投影工程と、
前記画像が投影された投影面における指示位置の座標を取得する取得工程と、
前記投影面に投影された画像が長方形になるように前記取得工程において取得された座標に応じて前記投影装置が前記投影面に投影する画像の形状を補正する補正工程とを備え、
前記補正工程において前記長方形になるように補正された前記画像の座標に基づいて、前記座標入力装置の入力座標と前記投影装置により前記投影面に投影される画像の座標とを合わせることを特徴とする画像補正方法。
【請求項２】
前記取得工程では、４つの指示位置の座標を取得することを特徴とする請求項１に記載の画像補正方法。
【請求項３】
画像を投影面に投影する投影装置と、前記画像が投影される前記投影面における指示位置の座標を検出する座標入力装置とから構成される画像補正システムであって、
前記座標入力装置は、
前記画像が投影された投影面における指示位置の座標を取得する取得手段と、
前記投影された画像が長方形になるように前記取得手段によって取得された座標に応じて前記投影装置が前記投影面に投影する画像の形状を補正する指示を前記投影装置に送信する送信手段とを備え、
前記投影装置は、
前記画像を前記投影面に投影する投影手段と、
前記座標入力装置から送信された指示を受信する受信手段と、
前記受信手段によって受信された指示に応じて、前記投影された画像が長方形になるように前記投影手段が前記投影面に投影する画像の形状を補正する補正手段とを備え、
前記補正手段によって前記長方形になるように補正された前記画像の座標に基づいて、前記座標入力装置の入力座標と前記投影装置により前記投影面に投影される画像の座標とを合わせることを特徴とする画像補正システム。
【請求項４】
前記取得手段は、４つ指示位置の座標を取得することを特徴とする請求項３に記載の画像補正システム。
【請求項５】
前記座標入力装置は、前記取得手段によって取得された座標に基づいて前記投影された画像が長方形であるか否かを判定する判定手段をさらに備え、
前記送信手段は、前記判定手段により前記投影された画像が長方形でないと判定された場合に、前記投影された画像が長方形になるように前記投影装置が前記投影面に投影する画像の形状を補正する指示を前記投影装置に送信することを特徴とする請求項３又は４に記載の画像補正システム。
【請求項６】
投影装置から画像が投影される投影面における指示位置の座標を検出する座標入力装置であって、
前記画像が投影された投影面における指示位置の座標を取得する取得手段と、
前記投影面に投影された画像が長方形になるように前記取得手段によって取得された座標に応じて前記投影装置が前記投影面に投影する画像の形状を補正する指示を前記投影装置に送信する送信手段とを備え、
前記投影装置によって前記長方形になるように補正された前記画像の座標に基づいて、前記座標入力装置の入力座標と前記投影装置により前記投影面に投影される画像の座標とを合わせることを特徴とする座標入力装置。
【請求項７】
投影装置から画像が投影される投影面における指示位置の座標を検出する座標入力装置の制御方法であって、
前記画像が投影された投影面における指示位置の座標を取得する取得工程と、
前記投影面に投影された画像が長方形になるように前記取得工程において取得された座標に応じて前記投影装置が前記投影面に投影する画像の形状を補正する指示を前記投影装置に送信する送信工程とを備え、
前記投影装置において前記長方形になるように補正された前記画像の座標に基づいて、前記座標入力装置の入力座標と前記投影装置により前記投影面に投影される画像の座標とを合わせることを特徴とする座標入力装置の制御方法。
【請求項８】
投影装置から画像が投影される投影面における指示位置の座標を検出する座標入力装置を制御するためのプログラムであって、
前記画像が投影された投影面における指示位置の座標を取得する取得手順と、
前記投影面に投影された画像が長方形になるように前記取得手順において取得された座標に応じて前記投影装置が前記投影面に投影する画像の形状を補正する指示を前記投影装置に送信する送信手順と、
前記投影装置において前記長方形になるように補正された前記画像の座標に基づいて、前記座標入力装置の入力座標と前記投影装置により前記投影面に投影される画像の座標とを合わせる手順とをコンピュータに実行させることを特徴とするプログラム。
【手続補正２】
【補正対象書類名】明細書
【補正対象項目名】発明の名称
【補正方法】変更
【補正の内容】
【発明の名称】画像補正方法および画像補正システム
【手続補正３】
【補正対象書類名】明細書
【補正対象項目名】０００１
【補正方法】変更
【補正の内容】
【０００１】
本発明は、特に、投影画像でキャリブレーションを行うために用いて好適な画像補正方法、画像補正システム、座標入力装置、座標入力装置の制御方法およびプログラムに関する。
【手続補正４】
【補正対象書類名】明細書
【補正対象項目名】０００７
【補正方法】変更
【補正の内容】
【０００７】
本発明に係る画像補正方法は、画像を投影面に投影する投影装置と、前記画像が投影される前記投影面における指示位置の座標を検出する座標入力装置とから構成される画像補正システムによる画像補正方法であって、前記画像を前記投影面に投影する投影工程と、前記画像が投影された投影面における指示位置の座標を取得する取得工程と、前記投影面に投影された画像が長方形になるように前記取得工程において取得された座標に応じて前記投影装置が前記投影面に投影する画像の形状を補正する補正工程とを備え、前記補正工程において前記長方形になるように補正された前記画像の座標に基づいて、前記座標入力装置の入力座標と前記投影装置により前記投影面に投影される画像の座標とを合わせることを特徴とする。
【手続補正書】
【提出日】平成28年8月5日(2016.8.5)
【手続補正１】
【補正対象書類名】特許請求の範囲
【補正対象項目名】請求項６
【補正方法】変更
【補正の内容】
【請求項６】
前記所定地域内の負荷装置に接続される電力計から、前記負荷装置の消費電力検出値を含む電力情報を受信する電力情報受信手段を備え、
前記記憶手段は、前記電力情報受信手段によって前記電力計から受信した前記電力情報が格納される電力情報データベースを有し、
前記気象情報受信手段は、前記所定地域における温度実測値及び湿度実測値をさらに含む前記気象情報を前記気象情報管理サーバから受信して前記記憶手段に格納し、
前記電力需要予測値算出手段は、前記温度実測値及び前記湿度実測値を用いて外気エンタルピを算出し、当該外気エンタルピと、前記消費電力検出値と、に基づく相関係数分析によって、前記イベントごとに前記外気エンタルピ係数を算出すること
を特徴とする請求項２に記載の電力需要予測装置。
【手続補正２】
【補正対象書類名】特許請求の範囲
【補正対象項目名】請求項７
【補正方法】変更
【補正の内容】
【請求項７】
前記所定地域内の負荷装置に接続される電力計から、前記負荷装置の消費電力検出値を含む電力情報を受信する電力情報受信手段を備え、
前記記憶手段は、前記電力情報受信手段によって前記電力計から受信した前記電力情報が格納される電力情報データベースを有し、
前記気象情報受信手段は、前記所定地域における日射量実測値をさらに含む前記気象情報を前記気象情報管理サーバから受信して前記記憶手段に格納し、
前記電力需要予測値算出手段は、前記日射量実測値と、前記消費電力検出値と、に基づく相関係数分析によって、前記建物区分ごとに前記日射係数を算出すること
を特徴とする請求項２に記載の電力需要予測装置。
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
タブレットコンピュータを用いることによって電動レフラクタと視標呈示装置の両方をワイヤレスコントロールするための眼科装置制御方法であって、
電動レフラクタと視標呈示装置のいずれかのワイヤレスコントロールのための入力信号を入力する入力ステップと、
入力ステップにおいて入力された入力信号に基づいて電動レフラクタと視標呈示装置のいずれかをコントロールするためのコントロールステップと、
を含むことを特徴とする眼科装置制御方法。
【請求項２】
前記入力ステップと前記コントロールステップにおいて、マニュアル式レフラクタの画像と、視標呈示装置によって呈示される視標とが、ディスプレイ上に操作画面として表示されることを特徴とする請求項１の眼科装置制御方法。
【請求項３】
前記入力ステップと前記コントロールステップにおいて、仮枠及び仮枠レンズの画像と、視標呈示装置によって呈示される視標とが、ディスプレイ上に操作画面として表示されることを特徴とする請求項１の眼科装置制御方法。
【請求項４】
前記入力ステップと前記コントロールステップにおいて、電動レフラクタにセットされる光学素子の度数と、視標呈示装置によって呈示される視標とが、ディスプレイ上に操作画面として表示される請求項１〜３のいずれかの眼科装置制御方法。
【請求項５】
前記入力ステップでは、前記タブレットコンピュータに設けられたタッチパネルを介して、入力信号が入力されることを特徴とする請求項１〜４のいずれかの眼科装置制御方法。
【請求項６】
タブレットコンピュータを用いることによって複数の眼科装置をワイヤレスコントロールするための眼科装置制御方法であって、
第１の眼科装置と第２の眼科装置のいずれかのワイヤレスコントロールのための入力信号を入力する入力ステップと、
前記入力ステップにおいて入力された入力信号に基づいて第１の眼科装置と第２の眼科装置のいずれかをコントロールするためのコントロールステップと、
を含むことを特徴とする眼科装置制御方法。
【請求項７】
第１の眼科装置は、電動レフラクタであり、第２の眼科装置は、視標呈示装置であることを特徴とする請求項６の眼科装置制御方法。
【請求項８】
前記入力ステップと前記コントロールステップにおいて、手動操作部が設けられた眼科装置を操作側からみたときの画像が、ディスプレイ上に操作画面として表示されることを特徴とする請求項６または７の眼科装置制御方法。
【手続補正２】
【補正対象書類名】明細書
【補正対象項目名】発明の名称
【補正方法】変更
【補正の内容】
【発明の名称】眼科装置制御方法
【手続補正３】
【補正対象書類名】明細書
【補正対象項目名】０００１
【補正方法】変更
【補正の内容】
【０００１】
本発明は、タブレットコンピュータを用いることによって眼科装置をワイヤレスコントロールするための眼科装置制御方法に関する。
【手続補正４】
【補正対象書類名】明細書
【補正対象項目名】０００６
【補正方法】変更
【補正の内容】
【０００６】
本発明は、従来技術の問題点に鑑み、容易に眼科装置を操作できる眼科装置制御方法を提供することを技術課題とする。
【手続補正５】
【補正対象書類名】明細書
【補正対象項目名】０００８
【補正方法】変更
【補正の内容】
【０００８】
（１）  タブレットコンピュータを用いることによって電動レフラクタと視標呈示装置の両方をワイヤレスコントロールするための眼科装置制御方法であって、電動レフラクタと視標呈示装置のいずれかのワイヤレスコントロールのための入力信号を入力する入力ステップと、入力ステップにおいて入力された入力信号に基づいて電動レフラクタと視標呈示装置のいずれかをコントロールするためのコントロールステップと、を含むことを特徴とする。
（２） タブレットコンピュータを用いることによって複数の眼科装置をワイヤレスコントロールするための眼科装置制御方法であって、第１の眼科装置と第２の眼科装置のいずれかのワイヤレスコントロールのための入力信号を入力する入力ステップと、前記入力ステップにおいて入力された入力信号に基づいて第１の眼科装置と第２の眼科装置のいずれかをコントロールするためのコントロールステップと、を含むことを特徴とする。
【手続補正６】
【補正対象書類名】明細書
【補正対象項目名】０００９
【補正方法】変更
【補正の内容】
【０００９】
本発明によれば、容易に眼科装置を操作できる。
【手続補正書】
【提出日】平成28年6月9日(2016.6.9)
【手続補正１】
【補正対象書類名】明細書
【補正対象項目名】００４４
【補正方法】変更
【補正の内容】
【００４４】
（実施例６）
実施例１において、２０重量％の酢酸ジルコニウム〔ＺｒＯ（Ｃ２Ｈ３Ｏ２）２〕（商品名：ジルコゾールＺＡ−２０、第一稀元素化学工業社製）の水溶液にチタニア微粒子を懸濁させたスラリー中の酢酸ジルコニウムとチタニアの重量比率を５：８０に変更する以外は、実施例１と同様の方法で、本発明による脱硝触媒を得た。
【手続補正２】
【補正対象書類名】明細書
【補正対象項目名】００４５
【補正方法】変更
【補正の内容】
【００４５】
（実施例７）
実施例１において、２０重量％の酢酸ジルコニウム〔ＺｒＯ（Ｃ２Ｈ３Ｏ２）２〕（商品名：ジルコゾールＺＡ−２０、第一稀元素化学工業社製）の水溶液にチタニア微粒子を懸濁させたスラリー中の酢酸ジルコニウムとチタニアの重量比率を１．２５：８０に変更する以外は、実施例１と同様の方法で、本発明による脱硝触媒を得た。
【手続補正３】
【補正対象書類名】明細書
【補正対象項目名】００４８
【補正方法】変更
【補正の内容】
【００４８】
（評価）
本発明による実施例１〜７、および比較例１と２の各脱硝触媒中のジルコニウム含有量（蛍光エックス線分析装置での酸化物換算での測定結果）を、蛍光Ｘ線分析装置（商品名ＳＥＡ１２００ＶＸ、セイコーインスツルメンツ社製）で測定した。また各脱硝触媒の結晶構造の分析は、Ｘ線回折分析装置（商品名ＭＡＬＴＩＦＬＥＸ、リガク社製）を用いて行った。得られた結果を、下記の表１にまとめて示した。
【手続補正４】
【補正対象書類名】明細書
【補正対象項目名】００５２
【補正方法】変更
【補正の内容】
【００５２】
また、本発明による実施例１〜７、および比較例１と２の各脱硝触媒の摩耗強度の試験を、平均粒径８４μｍの石炭焚きボイラー灰をダスト濃度１０００ｇ／ｈで一時間、各脱硝触媒に吹きつけた後の触媒の削れた摩耗深さ（ｍｍ）を測定することにより行い、得られた結果を、下記の表１にあわせて示した。
【表１】
2015097977.tif 000001
【表２】
2015097977.tif 000002
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
管理システムであって、
自身の識別情報を記憶した集積回路を搭載した、遊技場に設置される遊技用装置と、
前記集積回路の前記識別情報を照合用情報として記憶する、前記遊技場の外に設置される第１の管理装置と、
前記集積回路に設定されることによって前記集積回路が所定の処理を行うことを許可する許可情報を記憶する、前記遊技場に設置される第２の管理装置と、
を備え、
前記遊技用装置と前記第２の管理装置とは、前記遊技場において、通信可能に接続され、
前記管理システムは、前記第１の管理装置が記憶する前記照合用情報と前記集積回路が記憶する前記識別情報とを照合する照合手段を備え、
前記遊技用装置は、前記許可情報を前記第２の管理装置から取得する取得手段と、前記照合手段が前記照合用情報と前記識別情報とが同じ集積回路を識別すると判別した場合に前記取得手段で取得した前記許可情報を前記集積回路に設定する設定手段と、を備え、
前記第２の管理装置は、前記許可情報を暗号化された状態で取得して記憶し、
前記取得手段は、前記許可情報を暗号化された状態のままで前記第２の管理装置から取得し、
前記設定手段は、前記取得手段が取得した前記暗号化された前記許可情報を復号し、復号した前記許可情報を前記集積回路に設定する、
ことを特徴とする管理システム。
【請求項２】
自身の識別情報を記憶した集積回路を搭載した、遊技場に設置される遊技用装置であって、
前記集積回路の前記識別情報を照合用情報として記憶する、前記遊技場の外に設置される第１の管理装置と前記遊技場設置後に通信可能であり、かつ、
前記集積回路に設定されることによって前記集積回路が所定の処理を行うことを許可する許可情報を記憶する、前記遊技場に設置される第２の管理装置と前記遊技場設置後に通信可能であり、
前記第１の管理装置と通信して、前記第１の管理装置が記憶する前記照合用情報と前記集積回路が記憶する前記識別情報とを照合する照合手段と、
前記許可情報を前記第２の管理装置から取得する取得手段と、
前記照合手段の照合の結果、前記照合用情報と前記識別情報とが同じ集積回路を識別していた場合に前記取得手段で取得した前記許可情報を前記集積回路に設定する設定手段と、を備え、
前記取得手段は、前記許可情報を暗号化された状態のままで前記第２の管理装置から取得し、
前記設定手段は、前記取得手段が取得した前記暗号化された前記許可情報を復号し、復号した前記許可情報を前記集積回路に設定する、
ことを特徴とする遊技用装置。
【手続補正２】
【補正対象書類名】明細書
【補正対象項目名】００１０
【補正方法】変更
【補正の内容】
【００１０】
（１）上記目的を達成するため、本発明の管理システムは、
自身の識別情報（例えば、通信制御シリアルＩＤ）を記憶した集積回路（例えば、通信制御ＩＣ２３）を搭載した、遊技場（例えば、遊技場５００）に設置される遊技用装置（例えば、カードユニット２０）と、
前記集積回路の前記識別情報を照合用情報として記憶する、前記遊技場の外に設置される第１の管理装置（例えば、鍵管理センターサーバ３１０）と、
前記集積回路に設定されることによって前記集積回路が所定の処理を行うことを許可する許可情報（例えば、有効鍵）を記憶する、前記遊技場に設置される第２の管理装置（例えば、上位サーバ５１０）と、
を備え、
前記遊技用装置と前記第２の管理装置とは、前記遊技場において、通信可能に接続され、
前記管理システムは、前記第１の管理装置が記憶する前記照合用情報と前記集積回路が記憶する前記識別情報とを照合する照合手段（例えば、ステップＥ１３において通信制御シリアルＩＤの照合を行う処理を参照）を備え、
前記遊技用装置は、前記許可情報を前記第２の管理装置から取得する取得手段（例えば、ステップＥ２において許可情報が上位サーバ５１０から配信される処理参照）と、前記照合手段が前記照合用情報と前記識別情報とが同じ集積回路を識別すると判別した場合に前記取得手段で取得した前記許可情報を前記集積回路に設定する設定手段（例えば、ステップＥ１６における有効鍵の設定参照）と、を備え、
前記第２の管理装置（例えば、上位サーバ５１０）は、前記許可情報（例えば、有効鍵）を暗号化された状態で取得して記憶し（例えば、ステップＣ１において配信された有効鍵を取得して記憶する処理参照）、
前記取得手段は、前記許可情報を暗号化された状態のままで前記第２の管理装置から取得し（例えば、ステップＥ２において配信された有効鍵を取得する処理参照）、
前記設定手段は、前記取得手段が取得した前記暗号化された前記許可情報を復号し、復号した前記許可情報を前記集積回路に設定する（例えば、ステップＥ１６において配信された有効鍵を復号化して登録する処理参照）。
【手続補正３】
【補正対象書類名】明細書
【補正対象項目名】００１２
【補正方法】変更
【補正の内容】
【００１２】
（２）上記目的を達成するため、本発明の遊技用装置は、例えば、（１）の管理システムが備える遊技用装置であり、
自身の識別情報（例えば、通信制御シリアルＩＤ）を記憶した集積回路（例えば、通信制御ＩＣ２３）を搭載した、遊技場（例えば、遊技場５００）に設置される遊技用装置（例えば、カードユニット２０）であって、
前記集積回路の前記識別情報を照合用情報として記憶する、前記遊技場の外に設置される第１の管理装置（例えば、鍵管理センターサーバ３１０）と前記遊技場設置後に通信可能であり（例えば、カードユニット２０と鍵管理センターサーバ３１０とは上位サーバ５１０を介して通信されている）、かつ、
前記集積回路に設定されることによって前記集積回路が所定の処理を行うことを許可する許可情報（例えば、有効鍵）を記憶する、前記遊技場に設置される第２の管理装置（例えば、上位サーバ５１０）と前記遊技場設置後に通信可能であり、
前記第１の管理装置と通信して、前記第１の管理装置が記憶する前記照合用情報と前記集積回路が記憶する前記識別情報とを照合する照合手段（例えば、ステップＥ１３において通信制御シリアルＩＤの照合を行う処理を参照）と、
前記許可情報を前記第２の管理装置から取得する取得手段（例えば、ステップＥ２において許可情報が上位サーバ５１０から配信される処理参照）と、
前記照合手段の照合の結果、前記照合用情報と前記識別情報とが同じ集積回路を識別していた場合に前記取得手段で取得した前記許可情報を前記集積回路に設定する設定手段（例えば、ステップＥ１６における有効鍵の設定参照）と、を備え、
前記取得手段は、前記許可情報を暗号化された状態のままで前記第２の管理装置から取得し（例えば、ステップＥ２において配信された有効鍵を取得する処理参照）、
前記設定手段は、前記取得手段が取得した前記暗号化された前記許可情報を復号し、復号した前記許可情報を前記集積回路に設定する（例えば、ステップＥ１６において配信された有効鍵を復号化して登録する処理参照）。
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
当該回胴式遊技機に投入されたメダルを、遊技に有効なメダルと無効なメダルとに選別し、前記有効とされたメダルを検出する第１検出手段を有するメダルセレクタと、
該メダルセレクタから前記第１検出手段を経たメダルを蓄えるホッパーへと誘導するための誘導部に設けられ、該誘導されるメダルを検出する第２検出手段と、
を備えた回胴式遊技機において、
前記第１検出手段は、メダルを検出するための少なくとも２個のセンサを備えたものであり、
該２個のセンサがメダルを検出した時間差に基づいて、異常が発生したか否かを判定する異常検出手段と、
前記異常が発生したと前記異常検出手段が判定した場合に報知動作を行なう第２報知手段と、
前記第１検出手段により検出されたメダルの枚数と前記第２検出手段により検出されたメダルの枚数とに基づき、不正行為が当該回胴式遊技機に対して行なわれたか否かを判定する第１不正行為検出手段と、
前記不正行為が行なわれたと前記第１不正行為検出手段が判定した場合に報知動作を行なう第１報知手段と、
前記メダルセレクタに、アクチュエータによって作動する排出部材と、
を備え、
該排出部材は、前記第２報知手段による報知動作を行なう時には作動せず、前記第１報知手段による報知動作を行なう時には作動し、前記第１報知手段による報知動作以降に投入されるメダルを前記無効なメダルとして排出する
ことを特徴とする回胴式遊技機。
【手続補正２】
【補正対象書類名】明細書
【補正対象項目名】０００６
【補正方法】変更
【補正の内容】
【０００６】
上記課題を解決するためになされた本発明は、当該回胴式遊技機に投入されたメダルを、遊技に有効なメダルと無効なメダルとに選別し、前記有効とされたメダルを検出する第１検出手段を有するメダルセレクタと、該メダルセレクタから前記第１検出手段を経たメダルを蓄えるホッパーへと誘導するための誘導部に設けられ、該誘導されるメダルを検出する第２検出手段と、を備えた回胴式遊技機において、前記第１検出手段は、メダルを検出するための少なくとも２個のセンサを備えたものであり、該２個のセンサがメダルを検出した時間差に基づいて、異常が発生したか否かを判定する異常検出手段と、前記異常が発生したと前記異常検出手段が判定した場合に報知動作を行なう第２報知手段と、前記第１検出手段により検出されたメダルの枚数と前記第２検出手段により検出されたメダルの枚数とに基づき、不正行為が当該回胴式遊技機に対して行なわれたか否かを判定する第１不正行為検出手段と、前記不正行為が行なわれたと前記第１不正行為検出手段が判定した場合に報知動作を行なう第１報知手段と、前記メダルセレクタに、アクチュエータによって作動する排出部材とを備え、該排出部材は、前記第２報知手段による報知動作を行なう時には作動せず、前記第１報知手段による報知動作を行なう時には作動し、前記第１報知手段による報知動作以降に投入されるメダルを前記無効なメダルとして排出することを特徴とする。